Podtech/llm-jp-corpus-v4-ja_patent huggingface dataset:
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
少なくとも以下の工程、
ａ）下記モル組成のゲルを得るために、少なくとも１つのアルミニウム源、少なくとも１つのケイ素源、水酸化ナトリウム、少なくとも１つの銅源、トリエチレンテトラミン（ＴＥＴＡ）またはテトラエチレンペンタミン（ＴＥＰＡ）から選択される有機錯化剤、および構造化剤１，４−ジアザビシクロ［２．２．２］オクタン−Ｃ４−ジクワットジブロミド（ＤＡＢＣＯ−Ｃ４）を水性媒体中で混合する工程、
ゲルのモル組成:
ａＳｉＯ２：ｂＡｌ２Ｏ３：ｃＮａ２Ｏ：ｄＤＡＢＣＯ−Ｃ４：ｅＣｕＯ：ｆＯＣＰＬＸ：ｇH２Ｏ
（ここで、a/bは１００〜４０、ｃ／ｂは２５〜５０、ｄ／ｂは３〜１０、ｅ／ｂは０．０５〜０．１、ｆ／ｅは１〜１．５、ｇ／ｂは４０００〜１０００である）、
ｂ）前記ＡＦＸ構造を有する銅含有微孔性アルミノケイ酸塩材料の結晶化物を得るために、前記ゲルを１３０〜１８０℃の温度で、自己反応圧力下で、撹拌しながら１〜８日間水熱処理する工程、
ｃ）不活性ガス流下、８０〜１２０℃の温度で前工程の終わりに得られた固体を乾燥熱処理し、続いて乾燥空気下、４００〜６００℃の温度で仮焼する工程、
ｄ）得られた固体を、前の工程の終わりに、周囲温度で１時間〜２日間撹拌しながら、銅を反応性形態で溶液中に放出することができる種を含む溶液と接触させることを含むイオン交換工程、および
ｅ）前の工程の終わりに得られた固体を８０〜１２０℃の温度で乾燥熱処理し、続いて４００〜６００℃の温度で不活性ガス流下、次いでの空気流下で仮焼する工程、
を含む、ＡＦＸ構造を有する銅含有微孔質アルミノケイ酸塩材料を製造する方法であって、前記製造工程の最後に得られる材料に含まれる銅の総量は、その無水形態の前記材料の総重量に対して１．５〜５．７５重量％である方法。
【請求項２】
工程ｃ）およびｄ）が逆転される、請求項１に記載の方法。
【請求項３】
工程ａ）の間に導入される銅の量が０．７５〜２％であり、工程ｄ）の間に導入される銅の量が０．７５〜５％であり、前記材料に含有される銅の量が最終的に１．５〜５．７５％であり、全てのパーセンテージは、前記製造工程の終わりに得られる無水形態の原料の総重量に対する重量パーセンテージである請求項１または２に記載の方法。
【請求項４】
周囲温度での熟成工程が、工程ａ）の終わりおよび工程ｂ）の前に実施される、請求項１〜３のいずれか１項に記載の方法。
【請求項５】
前記工程ｂ）が１４０〜１７０℃の温度で実施される、請求項１〜４のいずれか１項に記載の方法。
【請求項６】
前記工程ｂ）が、３〜６日間の期間にわたって実施される、請求項１〜５のいずれか１項に記載の方法。
【請求項７】
前記工程ｂ）は、毎分１００〜４０００回転の攪拌シャフトの回転を伴う攪拌を伴って実施される、請求項１〜６のいずれか１項に記載の方法。
【請求項８】
前記工程ｂ）は、２００〜２０００回転／分の攪拌シャフトの回転で攪拌しながら実施される、請求項１〜７のいずれか１項に記載の方法。
【請求項９】
前記工程ｃ）の過程における前記仮焼処理の乾燥空気流量が、０．５〜１．５ｌ／ｈ／（ｇ被処理固体）である請求項１〜８のいずれか１項に記載の方法。
【請求項１０】
請求項１〜９のいずれか１項に記載の方法によって得られる、ＡＦＸ構造を有する銅含有微孔質アルミノケイ酸塩材料。
【請求項１１】
ＮＨ３またはＨ２のような還元剤によるＮＯｘの選択的還元のための、請求項１０に記載の、または請求項１〜９のいずれかに記載の方法で製造された、銅含有微孔性アルミノケイ酸塩の使用。
【請求項１２】
前記材料が、ハニカム構造体上にコーティングの形態で堆積されることによって形成される、請求項１１に記載の使用。
【請求項１３】
前記コーティングが、セリン、酸化ジルコニウム、アルミナ、非ゼオライトシリカ−アルミナ、酸化チタン、セリン−ジルコニア混合酸化物、または酸化タングステンなどの結合剤と組み合わせた前記材料料を含む、請求項１１〜１２のいずれか１項に記載の使用。
【請求項１４】
前記コーティングが、汚染物質の酸化を促進するＮＯx還元能力または能力を有する別のコーティングと組み合わされている、請求項１１〜１３のいずれか１項に記載の使用。
【請求項１５】
前記原料で被覆された前記構造体が、内燃機関の排気ラインに一体化されている、請求項１１〜１４のいずれか１項に記載の使用。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
重症筋無力症の処置または緩和における使用のための、クラドリビンとして公知の２−クロロ−２’−デオキシアデノシン、またはその薬学的に許容される塩。
【請求項２】
自己免疫性筋障害の処置または緩和における使用のための、クラドリビンとして公知の２−クロロ−２’−デオキシアデノシンと、１種または複数の薬学的に許容される添加剤とを含む医薬組成物。
【請求項３】
シナプス後筋終板の要素に対する病原性自己抗体によって引き起こされる神経筋接合部障害における使用のための、請求項１または２に記載のクラドリビンまたは組成物。
【請求項４】
自己免疫性および新生児の重症筋無力症、ランバート・イートン筋無力症候群、または神経性筋強直症の処置における使用のための、請求項１または２に記載のクラドリビンまたは組成物。
【請求項５】
単位用量当たり１〜２０ｍｇを含む単位剤形の形態である、請求項２から４のいずれか一項に記載の組成物。
【請求項６】
単位用量当たり２．５〜１５ｍｇを含む単位剤形の形態である、請求項２から４のいずれか一項に記載の組成物。
【請求項７】
単位用量当たり８〜１２ｍｇを含む単位剤形の形態である、請求項２から４のいずれか一項に記載の組成物。
【請求項８】
錠剤、カプセル剤または液体製剤である、請求項２から７のいずれか一項に記載の組成物。
【請求項９】
注射に好適な滅菌液体製剤として提供される、請求項２から８のいずれか一項に記載の組成物。
【請求項１０】
単回用量として毎日投与するための、請求項２から９のいずれか一項に記載の組成物。
【請求項１１】
処置前のレベルに対して３０〜８０％のＣＤ３発現Ｔ細胞の低減をもたらす、１〜１６週間にわたり分散させた１投薬日〜２０投薬日で投与されるクラドリビンの有効累積量として決定された有効量で投与するための、請求項２から１０のいずれか一項に記載のクラドリビンまたは組成物。
【請求項１２】
処置前のレベルに対して４０〜６０％のＣＤ３発現Ｔ細胞の低減をもたらす、５〜１０週間にわたり分散させた１投薬日〜２０投薬日で投与されるクラドリビンの有効累積量として決定された有効量で投与するための、請求項１１に記載のクラドリビンまたは組成物。
【請求項１３】
１〜２年の期間にわたり摂取される、薬剤中の患者体重１キログラム当たり０．１〜６ｍｇのクラドリビン（ｍｇ／ｋｇ）の有効累積用量または量で使用するための、請求項１から１２のいずれか一項に記載のクラドリビンまたは組成物。
【請求項１４】
１〜２年の期間にわたり摂取される、薬剤中の患者体重に対して０．２〜２．５ｍｇ／ｋｇのクラドリビン（ｍｇ／ｋｇ）の有効累積用量または量で使用するための、請求項１から１２のいずれか一項に記載のクラドリビンまたは組成物。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
二次感染症の予防及び／又は治療のための、インターロイキン１２（ＩＬ１２）又はその誘導体を含む医薬組成物。
【請求項２】
前記インターロイキン１２（ＩＬ１２）が、一回の投与あたり２μｇ〜２０μｇ又は０．１μｇ／ｋｇ〜１μｇ／ｋｇのレベルである、請求項１に記載の医薬組成物。
【請求項３】
前記インターロイキン１２（ＩＬ１２）又はその誘導体が、単回注射又は最長２１日間の反復注射で投与される、請求項１又は２に記載の医薬組成物。
【請求項４】
前記二次感染症が、肺炎、胸膜感染症、尿感染症、腹膜感染症、腹腔内膿瘍、髄膜炎、縦隔感染症、軟部組織感染症、及び皮膚感染症からなる群から選択される、請求項１〜３のいずれか一項に記載の医薬組成物。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
EGF(A)ペプチド類似体、EGF(A)化合物またはEGF(A)誘導体、および二価陽イオンを含む医薬組成物であって、前記EGF(A)ペプチド類似体、EGF(A)化合物またはEGF(A)誘導体が、配列番号：1により定義されるLDL-RのEGF(A)ドメインのEGF(A)ペプチド類似体であって、301Leuおよび310Aspを含むEGF(A)ペプチド類似体を含み、前記EGF(A)ペプチド類似体は、配列番号：1と比較して1〜10個のアミノ酸置換を有する、医薬組成物。
【請求項２】
前記組成物が液体製剤である、請求項1に記載の医薬組成物。
【請求項３】
前記組成物がカルシウムイオンを含む、請求項1〜2のいずれか一項に記載の医薬組成物。
【請求項４】
前記組成物がCaCl2を含む、請求項1〜3のいずれか一項に記載の医薬組成物。
【請求項５】
前記組成物が、前記EGF(A)ペプチド類似体、EGF(A)化合物またはEGF(A)誘導体に対して、0.1〜50当量の二価陽イオン、例えばCa2+を含む、請求項1〜4のいずれか一項に記載の医薬組成物。
【請求項６】
前記組成物が、緩衝液、防腐剤、等張化剤およびキレート剤のうちの一つまたは複数などの医薬品として容認できる賦形剤をさらに含む、請求項1〜5のいずれか一項に記載の医薬組成物。
【請求項７】
前記EGF(A)ペプチド類似体が309Argをさらに含む、請求項1〜6のいずれか一項に記載の医薬組成物。
【請求項８】
前記EGF(A)ペプチド類似体が321Gluをさらに含む、請求項1〜7のいずれか一項に記載の医薬組成物。
【請求項９】
請求項1〜8のいずれか一項に記載の医薬組成物であって、前記EGF(A)ペプチド類似体がさらに、
i. 312Lysのアミノ酸置換を含み、または
ii. ペプチドが299AspのGlu、ValまたはHisへの置換を有さない、
医薬組成物。
【請求項１０】
前記EGF(A)ペプチド類似体が、312Lysから312Glu、312Asp、312Glnまたは312Argへの置換を含む、請求項1〜9のいずれか一項に記載の医薬組成物。
【請求項１１】
前記EGF(A)化合物が、少なくとも一つの脂肪酸基を含む少なくとも一つの置換基を含むEGF(A)誘導体である、請求項1〜10のいずれか一項に記載の医薬組成物。
【請求項１２】
少なくとも一つの置換基が、以下からなる群から選択されるEGF(A)ペプチド類似体中のLys残基に付着される、請求項11に記載の医薬組成物：292Lys、293Lys、294Lys、296Lys、299Lys、300Lys、303Lys、305Lys、306Lys、309Lys、311Lys、312Lys、313Lys、314Lys、315Lys、316Lys、318Lys、320Lys、321Lys、322Lys、323Lys、324Lys、325Lys、326Lys、327Lys、328Lys、329Lys、330Lys、332Lysおよび333Lys。
【請求項１３】
前記組成物が、以下からなる対から選択される2つのLys残基を含むEGF(A)ペプチド類似体を含む、請求項1〜12のいずれか一項に記載の医薬組成物：i. 293Kおよび294K、ii. 293Kおよび333K、iii. 309Kおよび313K、iv. 309Kおよび324K、v. 309Kおよび328K、vi. 309Kおよび332K、vii. 309Kおよび333K、viii. 311Kおよび313K、ix. 313Kおよび314K、x. 313Kおよび321K、xi. 313Kおよび324K、xii. 313Kおよび328K、xiii. 313Kおよび332K、xiv. 313Kおよび333K、xv. 314Kおよび333K、xvi. 321Kおよび332K、xvii. 321Kおよび333K、xviii. 324Kおよび333K、xix. 324Kおよび328K、xx. 328Kおよび333K、xxi. 330Kおよび333K並びに、xxii. 332Kおよび333K。
【請求項１４】
前記組成物が、以下の群から選択されるEGF(A)誘導体を含む、請求項1に記載の医薬組成物：
i.   #31
【化１】
2020527159.tif 000001
（式中、EGF(A)誘導体(i)のアミノ酸配列は配列番号：32である）
ii. # 95
【化２】
2020527159.tif 000002
（式中、EGF(A)誘導体(ii)のアミノ酸配列は配列番号：76である）
iii. # 12
【化３】
2020527159.tif 000003
（式中、EGF(A)誘導体(iii)のアミノ酸配列は配列番号：32である）
iv. #133
【化４】
2020527159.tif 000004
（式中、EGF(A)誘導体(iv)のアミノ酸配列は配列番号：98である）
v. # 143
【化５】
2020527159.tif 000005
（式中、EGF(A)誘導体(v)のアミノ酸配列は配列番号：98である）
vi. #144
【化６】
2020527159.tif 000006
（式中、EGF(A)誘導体(vi)のアミノ酸配列は配列番号：98である）
vii.  #150
【化７】
2020527159.tif 000007
（式中、EGF(A)誘導体(vii)のアミノ酸配列は配列番号：78である）
viii. # 151
【化８】
2020527159.tif 000008
（式中、EGF(A)誘導体(viii)のアミノ酸配列は配列番号：104である）
ix.   #152
【化９】
2020527159.tif 000009
（式中、EGF(A)誘導体(ix)のアミノ酸配列は配列番号：72である）、および
x. #153
【化１０】
2020527159.tif 000010
（式中、EGF(A)誘導体(x)のアミノ酸配列は配列番号：105である）。
【請求項１５】
請求項1〜14のいずれか一項で定義されたEGF(A)ペプチド類似体、EGF(A)化合物またはEGF(A)誘導体を製造する方法であって、前記EGF(A)ペプチド類似体、EGF(A)化合物またはEGF(A)誘導体が、少なくとも一工程において二価陽イオン、例えばカルシウムイオンの存在下で処理される、方法。
【請求項１６】
精製工程がカルシウムイオンの存在下で実施される、請求項15に記載の方法。
【請求項１７】
置換基の付着がカルシウムイオンの存在下で実施される、請求項15に記載の方法。
【請求項１８】
前記カルシウムイオンの濃度が、前記EGF(A)ペプチド類似体、EGF(A)化合物またはEGF(A)誘導体の濃度の0.5〜50当量、例えば1.0〜40当量、例えば2.0〜30当量、例えば2.0〜40当量、例えば5.0〜25当量である、請求項15〜17のいずれか一項に記載の方法。
【請求項１９】
置換基を付着するとき、pHが10を越えてまで増大する、請求項17または18に記載の方法。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
ガイダンス分子、例えばペプチドまたはタンパク質または核酸、および、リンカーの連続的な病原体削減処理のための修飾ユニット（３７）であって、次の要素：
−緩衝液中ガイダンス分子を含む少なくとも１つのリザーバー（１）、および／または、緩衝液中ガイダンス分子を含む生成物ストリーム用の少なくとも１つの入口と、
−溶液中リンカーを含む少なくとも１つのリザーバー（２）と、
−少なくとも１つの混合デバイス（３）と、
−１つはガイダンス分子の投与用、もう１つはリンカー分子の投与用である少なくとも２つのバルブ（７、８）と、
−ガイダンス分子−リンカー複合物を含む生成物ストリーム用の少なくとも１つの出口および／またはガイダンス分子−リンカー複合物を取り出すためのリザーバー（５）とを含み、
−定義された滞留時間を保証する、すなわち、混合後、ガイダンス分子とリンカー分子が連続プロセス中、常に同様の時間滞留するようにする少なくとも１つの滞留時間デバイスをさらに含む、修飾ユニット。
【請求項２】
ガイダンス分子薬物複合体、例えば、ペプチドまたはタンパク質または核酸と薬物との複合体の連続的な病原体削減生産および／または処理のための方法あって：
−ガイダンス分子、例えば、ペプチドまたはタンパク質または核酸を提供する工程と、
−リンカーを提供する工程と、
−リンカーとガイダンス分子の付加工程と、
−ガイダンス分子−リンカー複合物と生物活性物質の複合工程と、
−少なくとも１回の連続限外ろ過工程と、
−少なくとも１回の生成物ストリームの連続ダイアフィルトレーション工程と、
−少なくとも１回の生成物ストリームのろ過工程とを含み、
プロセスはモジュール方式で実行される、方法。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
口腔粘膜または鼻腔粘膜を通じた吸収のための、有効用量のミノキシジルを含有する、対象における脱毛または過剰な毛髪脱落の治療あるいは対象における育毛促進のための薬物。
【請求項２】
前記口腔粘膜は、舌下粘膜、頬側粘膜、口唇粘膜、及び／または歯槽粘膜の１つまたは複数から選択される、請求項１に記載の薬物。
【請求項３】
前記有効用量のミノキシジルは、唾液の存在下で崩壊する形状をしている、及び／または
前記有効用量のミノキシジルは、０．２５ｎｇ／ｍＬ〜１０ｎｇ／ｍＬのミノキシジル血中濃度をもたらす、請求項１または２に記載の薬物。
【請求項４】
前記有効用量のミノキシジルは、０．０５ｍｇ〜３ｍｇの範囲内にある、請求項１から３のいずれか１項に記載の薬物。
【請求項５】
前記有効用量のミノキシジルは、少なくとも３日ごとに投与される、請求項１から４のいずれか１項に記載の薬物。
【請求項６】
前記有効用量のミノキシジルは、以下から選択される形状をしている、請求項１から５のいずれか１項に記載の薬物：ストリップ、カシェ剤、ペレット、フィルム、トローチ剤、錠剤、脂質マトリクス錠剤、カプセル剤、丸剤、粒剤、ペレット剤、散剤、ドロップ剤、噴霧剤、及びロゼンジ剤。
【請求項７】
さらに、以下を含む、請求項１から６のいずれか１項に記載の薬物：アルドステロンアンタゴニスト、５α−レダクターゼ阻害剤、非ステロイド性抗アンドロゲン薬、及び／またはステロイド系抗アンドロゲン薬。
【請求項８】
さらに、スピロノラクトンを１０ｍｇ〜５００ｍｇの範囲内で含む、請求項１から７のいずれか１項に記載の薬物。
【請求項９】
さらに、塩化ナトリウムを１０ｍｇ〜２００ｍｇの範囲内で含む、請求項１から８のいずれか１項に記載の薬物。
【請求項１０】
さらに、以下の１種または複数を含む、請求項１から９のいずれか１項に記載の薬物：
（ｉ）フィナステリドを０．１ｍｇ〜１ｍｇの範囲内で；
（ｉｉ）デュタステリドを０．０１ｍｇ〜１ｍｇの範囲内で；
（ｉｉｉ）フルタミドを１０ｍｇ〜５００ｍｇの範囲内で；
（ｉｖ）酢酸シプロテロンを１ｍｇ〜１００ｍｇの範囲内で；
（ｖ）ビカルタミドを１ｍｇ〜１００ｍｇの範囲内で；
（ｖｉ）エンザルタミドを１ｍｇ〜１００ｍｇの範囲内で；
（ｖｉｉ）ニルタミドを１ｍｇ〜１００ｍｇの範囲内で；
（ｖｉｉｉ）ドロスペリドンを０．１ｍｇ〜１０ｍｇの範囲内で；
（ｉｘ）アパルタミドを１ｍｇ〜１００ｍｇの範囲内で；及び
（ｘ）ブセレリンを０．１ｍｇ〜１０ｍｇの範囲内で。
【請求項１１】
前記脱毛または過剰な毛髪脱落は、以下の１種または複数の結果である、請求項１から１０のいずれか１項に記載の薬物；毛包小型化、円形脱毛症、アンドロゲン性脱毛症、休止期脱毛、成長期脱毛、化学療法誘導型脱毛、男性型脱毛症、女性型脱毛症、連珠毛、甲状腺の問題、貧血、多嚢胞性卵巣症候群、瘢痕性脱毛症（毛孔性扁平苔癬、円板状エリテマトーデス、禿髪性毛包炎）、先天性貧毛症、成長期脱毛症候群、貧毛症、及び栄養不良。
【請求項１２】
育毛促進は、対象における髭成長の促進及び／または毛髪長の延長を含む、請求項１から１１のいずれか１項に記載の薬物。
【請求項１３】
対象における脱毛または過剰な毛髪脱落の治療あるいは対象における育毛促進のための口腔内崩壊組成物であって、以下；
（ｉ）ミノキシジルを０．０５ｍｇ〜３ｍｇの範囲内で；または
（ｉｉ）ミノキシジルを０．０５ｍｇ〜３ｍｇの範囲内で、及びスピロノラクトンを１０ｍｇ〜５００ｍｇの範囲内で、
含む、組成物。
【請求項１４】
以下から選択される形状をしている、請求項１３に記載の組成物：ストリップ、カシェ剤、ペレット、フィルム、トローチ剤、錠剤、脂質マトリクス錠剤、カプセル剤、丸剤、粒剤、ペレット剤、散剤、ドロップ剤、噴霧剤、及びロゼンジ剤。
【請求項１５】
（ｉ）唾液の存在下で前記組成物の崩壊を補助する崩壊剤；
（ｉｉ）唾液中の酵素により作用を受けて崩壊を促進することができる作用剤；及び
（ｉｉｉ）風味修飾剤
の一以上を含む、請求項１３または１４に記載の組成物。
【請求項１６】
鼻腔粘膜への投与を介した、対象における脱毛または過剰な毛髪脱落の治療あるいは対象における育毛促進のための組成物であって、以下；
（ｉ）ミノキシジルを０．０５ｍｇ〜３ｍｇの範囲内で；または
（ｉｉ）ミノキシジルを０．０５ｍｇ〜３ｍｇの範囲内で、及びスピロノラクトンを１０ｍｇ〜５００ｍｇの範囲内で、
含み、前記組成物は、ドロップ剤または噴霧剤の形状をしている、
組成物。
【請求項１７】
さらに、以下の１種または複数を含む、請求項１３から１６のいずれか１項に記載の組成物：
（ｉ）濃度１０〜２００ｍｇの塩化ナトリウム；
（ｉｉ）濃度０．１〜１００ｍｇの亜鉛；
（ｉｉｉ）濃度２０μｇ〜２００μｇのセレン；
（ｉｖ）濃度５０ｍｇ〜２５０ｍｇのカフェイン；
（ｖ）濃度５０ｍｇ〜２５０ｍｇの甘草；
（ｖｉ）少なくとも１種のビタミン；及び
（ｖｉｉ）少なくとも１種のアミノ酸。
【請求項１８】
さらに、以下の１種または複数を含む、請求項１３から１７のいずれか１項に記載の組成物：
（ｉ）フィナステリドを０．１ｍｇ〜１ｍｇの範囲で；
（ｉｉ）デュタステリドを０．０１ｍｇ〜１ｍｇの範囲で；
（ｉｉｉ）フルタミドを１０ｍｇ〜５００ｍｇの範囲で；
（ｉｖ）スピロノラクトンを１０ｍｇ〜５００ｍｇの範囲で；
（ｖ）酢酸シプロテロンを１ｍｇ〜１００ｍｇの範囲で；
（ｖｉ）ビカルタミドを１０ｍｇ〜５００ｍｇの範囲で；
（ｖｉｉ）エンザルタミドを１ｍｇ〜１００ｍｇの範囲で；
（ｖｉｉｉ）ニルタミドを１ｍｇ〜１００ｍｇの範囲で；
（ｉｘ）ドロスペリドンを０．１ｍｇ〜１０ｍｇの範囲で；
（ｘ）アパルタミドを１ｍｇ〜１００ｍｇの範囲で；及び
（ｘｉ）ブセレリンを０．１ｍｇ〜１０ｍｇの範囲。
【請求項１９】
前記脱毛または過剰な毛髪脱落は、以下の１種または複数の結果である、請求項１３から１８のいずれか１項に記載の組成物；毛包小型化、円形脱毛症、アンドロゲン性脱毛症、休止期脱毛、成長期脱毛、化学療法誘導型脱毛、男性型脱毛症、女性型脱毛症、甲状腺の問題、連珠毛、貧血、多嚢胞性卵巣症候群、瘢痕性脱毛症（毛孔性扁平苔癬、円板状エリテマトーデス、禿髪性毛包炎）、先天性貧毛症、成長期脱毛症候群、貧毛症、及び栄養不良。
【請求項２０】
前記育毛促進は、対象における髭成長の促進を含む、請求項１３から１９のいずれか１項に記載の組成物。
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
ａ）２〜８個の炭素原子を有する少なくとも１つの脂肪族および／または芳香族アルコール、
ｂ）少なくとも１つの式（Ｉ）の構造単位、少なくとも１つの式（ＩＩ）の構造単位、および少なくとも１つの式（ＩＩＩ）の構造単位：
【化１】
2020527142.tif 000001
ここで、Ｒ１、Ｒ２およびＲ４は、互いに独立して、水素原子またはＣ１−Ｃ４アルキル基を表し、
Ｒ３は、分枝状または非分枝状の、飽和または不飽和のＣ１−Ｃ１２アルキル基を表し、
Ｒ５は、分枝状または非分枝状の、飽和または不飽和のＣ６−Ｃ１４アルキル基を表し、
Ａは酸素、硫黄またはＮＨ基を表す、
を含む、少なくとも１つのアニオン性ポリマー、および
ｃ）少なくとも１つの顔料
を含有する、化粧剤。
【請求項２】
式（Ｉ）および（ＩＩＩ）の構造単位において、基Ｒ１およびＲ４は、互いに独立して、水素原子を表し、式（ＩＩ）の構造単位において、基Ｒ２はメチル基を表すことを特徴とする、請求項１に記載の化粧剤。
【請求項３】
式（ＩＩＩ）の構造単位において、ＡはＮＨ基を表すことを特徴とする、請求項１または２に記載の化粧剤。
【請求項４】
式（ＩＩＩ）の構造単位において、基Ｒ５が分枝状Ｃ６−Ｃ１０−アルキル基、特に＊−Ｃ（ＣＨ３）２−ＣＨ２−Ｃ（ＣＨ３）３基を表すことを特徴とする、請求項１〜３のいずれかに記載の化粧剤。
【請求項５】
前記少なくとも１つのアニオン性ポリマーは、化粧剤の総重量に基づいて、総量で、０．１〜１０重量％、好ましくは０．５〜８．０重量％、好ましくは１．０〜５．５重量％、特に１．０〜２．５重量％含有されることを特徴とする、請求項１〜４のいずれかに記載の化粧剤。
【請求項６】
前記少なくとも１つの顔料は、二酸化チタン（ＣＩ７７８９１）、黒色酸化鉄（ＣＩ７７４９９）、黄色酸化鉄（ＣＩ７７４９２）、赤色および／または褐色酸化鉄（ＣＩ７７４９１、ＣＩ７７４９９）、マンガンバイオレット（ＣＩ７７７４２）、ウルトラマリン（ナトリウムアルミニウムスルホシリケート、ＣＩ７７００７、ピグメントブルー２９）、酸化クロム水和物（ＣＩ７７２８９）、酸化クロム（ＣＩ７７２８８）および／またはアイアンブルー（フェロシアン化第二鉄、ＣＩ７７５１０）からなる群から選択される、１以上の金属酸化物を含有するマイカまたはマイカ系着色顔料であることを特徴とする、請求項１〜５のいずれかに記載の化粧剤。
【請求項７】
前記少なくとも１つの顔料は、それぞれ化粧剤の総重量に基づいて、総量で、１．０〜２５重量％、好ましくは５．０〜２０重量％、好ましくは７．０〜１８重量％、特に８．５〜１５．５重量％含有されることを特徴とする、請求項１〜６のいずれかに記載の化粧剤。
【請求項８】
以下の工程：
ａ）ゲル、ポンプスプレーまたはエアロゾルスプレーの形態で、請求項１〜７のいずれかに記載の化粧剤を供給する工程、
ｂ）工程ａ）で供給された化粧剤をケラチン繊維に、特にスプレーで、塗布する工程、
ｃ）工程ｂ）でケラチン繊維上に塗布された化粧剤を、分布させる、およびケラチン繊維を所望の形状にスタイリングする工程
を含む、ケラチン繊維を一時的にスタイリングおよび着色する方法。
【請求項９】
以下の工程：
ａ）ゲル、ポンプスプレーまたはエアロゾルスプレーの形態で、請求項１〜７のいずれかに記載の化粧剤を供給する工程、
ｂ）工程ａ）で供給された化粧剤を皮膚に、特にスプレーで、塗布する工程、
ｃ）工程ｂ）で皮膚上に塗布された化粧剤を分布させる工程
を含む、皮膚を一時的に着色する方法。
【請求項１０】
顔料含有化粧剤における、少なくとも１つの式（Ｉ）の構造単位、少なくとも１つの式（ＩＩ）の構造単位、および少なくとも１つの式（ＩＩＩ）の構造単位：
【化２】
2020527142.tif 000002
ここで、Ｒ１、Ｒ２およびＲ４は、互いに独立して、水素原子またはＣ１−Ｃ４アルキル基を表し、
Ｒ３は、分枝状または非分枝状の、飽和または不飽和のＣ１−Ｃ１２アルキル基を表し、
Ｒ５は、分枝状または非分枝状の、飽和または不飽和のＣ６−Ｃ１４アルキル基を表し、
Ａは酸素、硫黄またはＮＨ基を表す、
を含むアニオン性ポリマーの、これらの化粧剤の耐水性を改善するための使用。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
ヒト患者における癌の処置での使用のためのヒトＳｉｇｌｅｃ−９の阻害活性を中和する抗体であって、ここで、前記処置は、有効量の（ａ）ヒトＮＫＧ２Ａの阻害活性を中和する抗体および（ｂ）ヒトＳｉｇｌｅｃ−９の阻害活性を中和する抗体のそれぞれを前記患者に投与することを含む。
【請求項２】
ヒトＳｉｇｌｅｃ−９の阻害活性を中和する前記抗体が、ヒトＳｉｇｌｅｃ−９ポリペプチドに結合し、かつヒトＮＫ細胞によって発現されるＳｉｇｌｅｃ−９ポリペプチドの阻害活性を中和することができる抗体または抗体断片を含む、請求項１に記載の使用のための抗体。
【請求項３】
ヒトＳｉｇｌｅｃ−９の阻害活性を中和する前記抗体が、Ｓｉｇｌｅｃ−９を発現するＮＫ細胞がヒトドナーから精製され、かつＳｉｇｌｅｃ−９のシアル酸リガンドを発現する標的細胞と温置される標準的な４時間のインビトロ５１Ｃｒ放出細胞傷害性アッセイにおいて、ＮＫ細胞の細胞傷害性を増強および／または回復させる、請求項１または２に記載の使用のための抗体。
【請求項４】
ヒトＳｉｇｌｅｃの阻害活性を中和する前記抗体が、ヒトｍｏＤＣであって、その表面においてシアル酸とのシス相互作用に関与するＳｉｇｌｅｃ−７および／または−９ポリペプチドを保有するヒトｍｏＤＣによって発現されるＳｉｇｌｅｃ−７および／または−９ポリペプチドの阻害活性を中和することができる抗体を含む、請求項１〜３の何れか一項に記載の使用のための抗体。
【請求項５】
前記癌が、悪性細胞であって、その表面においてＨＬＡ−Ｅポリペプチドを保有する悪性細胞によって特徴付けられる、請求項１〜４の何れか一項に記載の使用のための抗体。
【請求項６】
前記癌が、悪性細胞であって、その表面においてＳｉｇｌｅｃ−７および／またはＳｉｇｌｅｃ−９のシアル酸リガンドを保有する悪性細胞によって特徴付けられる、請求項１〜５の何れか一項に記載の使用のための抗体。
【請求項７】
前記癌が、肺癌、頭頸部癌、腎細胞癌腫（ＲＣＣ）、メラノーマ、結腸直腸癌および卵巣癌からなる群から選択される、請求項１〜６の何れか一項に記載の使用のための抗体。
【請求項８】
ＮＫＧ２Ａの阻害活性を中和する抗体が、配列番号１７１〜１７５の何れか１つに示される配列を有する重鎖のＣＤＲ１、ＣＤＲ２およびＣＤＲ３ドメインと、配列番号１７６に示される配列を有する軽鎖のＣＤＲ１、ＣＤＲ２およびＣＤＲ３ドメインとを含む、請求項１〜７の何れか一項に記載の使用のための抗体。
【請求項９】
ヒトＳｉｇｌｅｃ−９の阻害活性を中和する前記抗体が、非枯渇抗体であり、前記非枯渇抗体が、Ｆｃドメインを欠くか、またはＦｃドメインとＦｃγ受容体との間の結合を低下させるように修飾された前記Ｆｃドメインを含む、請求項１〜８の何れか一項に記載の使用のための抗体。
【請求項１０】
Ｓｉｇｌｅｃ−９および／またはＳｉｇｌｅｃ−７の阻害活性を中和する前記抗体が、さらなるヒトＣＤ３３関連Ｓｉｇｌｅｃポリペプチドに実質的に結合せず、任意選択により、前記抗体が、第３のヒトＣＤ３３関連Ｓｉｇｌｅｃポリペプチドに対するよりも少なくとも１００倍低いＫＤで前記Ｓｉｇｌｅｃ−７および／またはＳｉｇｌｅｃ−９に結合し、任意選択により、前記第３のヒトＣＤ３３関連Ｓｉｇｌｅｃは、Ｓｉｇｌｅｃ−３、−５、−６、−８、−１０、−１１および−１２からなる群から選択される、請求項１〜９の何れか一項に記載の使用のための抗体。
【請求項１１】
前記第３のヒトＣＤ３３関連Ｓｉｇｌｅｃポリペプチドは、Ｓｉｇｌｅｃ−１２である、請求項１〜１０の何れか一項に記載の使用のための抗体。
【請求項１２】
前記抗Ｓｉｇｌｅｃ抗体は、ヒトドナーから精製されたＳｉｇｌｅｃ７および／または９発現ＮＫ細胞において、前記ＮＫ細胞が、標的ヒト細胞であって、標的細胞表面上に前記Ｓｉｇｌｅｃのリガンドを保有する標的ヒト細胞と接触されると、細胞傷害性および／または細胞傷害性に関連するマーカーの上昇を引き起こす、請求項１〜１１の何れか一項に記載の使用のための抗体。
【請求項１３】
前記抗Ｓｉｇｌｅｃ抗体が、ヒトＳｉｇｌｅｃ−７および／またはＳｉｇｌｅｃ−９のＮ末端ＶセットＩｇ様ドメインに結合する請求項１〜１２の何れか一項に記載の使用のための抗体。
【請求項１４】
抗Ｓｉｇｌｅｃ抗体が、Ｓｉｇｌｅｃ−９への結合について、
（ａ）（ｉ）配列番号１５の重鎖可変領域のＣＤＲ１、２および３を含む重鎖と、（ｉｉ）配列番号１６の軽鎖可変領域のＣＤＲ１、２および３を含む軽鎖とを含むモノクローナル抗体、
（ｂ）（ｉ）配列番号１７の重鎖可変領域のＣＤＲ１、２および３を含む重鎖と、（ｉｉ）配列番号１８の軽鎖可変領域のＣＤＲ１、２および３を含む軽鎖とを含むモノクローナル抗体、
（ｃ）（ｉ）配列番号１９の重鎖可変領域のＣＤＲ１、２および３を含む重鎖と、（ｉｉ）配列番号２０の軽鎖可変領域のＣＤＲ１、２および３を含む軽鎖とを含むモノクローナル抗体、
（ｄ）（ｉ）配列番号２１の重鎖可変領域のＣＤＲ１、２および３を含む重鎖と、（ｉｉ）配列番号２２の軽鎖可変領域のＣＤＲ１、２および３を含む軽鎖とを含むモノクローナル抗体、
（ｅ）（ｉ）配列番号２３の重鎖可変領域のＣＤＲ１、２および３を含む重鎖と、（ｉｉ）配列番号２４の軽鎖可変領域のＣＤＲ１、２および３を含む軽鎖とを含むモノクローナル抗体、
（ｆ）（ｉ）配列番号２５の重鎖可変領域のＣＤＲ１、２および３を含む重鎖と、（ｉｉ）配列番号２６の軽鎖可変領域のＣＤＲ１、２および３を含む軽鎖とを含むモノクローナル抗体、
（ｇ）（ｉ）配列番号３の重鎖可変領域のＣＤＲ１、２および３を含む重鎖と、（ｉｉ）配列番号４の軽鎖可変領域のＣＤＲ１、２および３を含む軽鎖とを含むモノクローナル抗体、
（ｈ）（ｉ）配列番号５の重鎖可変領域のＣＤＲ１、２および３を含む重鎖と、（ｉｉ）配列番号６の軽鎖可変領域のＣＤＲ１、２および３を含む軽鎖とを含むモノクローナル抗体、
（ｉ）（ｉ）配列番号７の重鎖可変領域のＣＤＲ１、２および３を含む重鎖と、（ｉｉ）配列番号８の軽鎖可変領域のＣＤＲ１、２および３を含む軽鎖とを含むモノクローナル抗体、
（ｊ）（ｉ）配列番号９の重鎖可変領域のＣＤＲ１、２および３を含む重鎖と、（ｉｉ）配列番号１０の軽鎖可変領域のＣＤＲ１、２および３を含む軽鎖とを含むモノクローナル抗体、
（ｋ）（ｉ）配列番号１１の重鎖可変領域のＣＤＲ１、２および３を含む重鎖と、（ｉｉ）配列番号１２の軽鎖可変領域のＣＤＲ１、２および３を含む軽鎖とを含むモノクローナル抗体、および
（ｌ）（ｉ）配列番号１３の重鎖可変領域のＣＤＲ１、２および３を含む重鎖と、（ｉｉ）配列番号１４の軽鎖可変領域のＣＤＲ１、２および３を含む軽鎖とを含むモノクローナル抗体
からなる群から選択される抗体と競合する、請求項１〜１３の何れか一項に記載の薬剤。
【請求項１５】
（ａ）ＮＫＧ２Ａの阻害活性を中和する有効量の抗体を含有する単一用量の医薬組成物の複数のパッケージと、（ｂ）Ｓｉｇｌｅｃ−９の阻害活性を中和する有効量の抗体を含有する単一用量の医薬組成物の複数のパッケージとを含むキット。
【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
ヒトｍＡＫＡＰに対する低分子ヘアピンリボ核酸（「shRNA」）をコードするベクターを含み、
前記低分子ヘアピンリボ核酸は、GGAGGAAATAGCAAGGTTA（配列番号９）のヌクレオチド配列を含む、組成物。
【請求項２】
患者を心臓損傷から保護するために、投与を必要とする患者に投与される治療有効量の請求項１に記載の組成物を含む医薬組成物。
【請求項３】
前記ベクターはウイルスベクターである、請求項１に記載の組成物。
【請求項４】
前記ウイルスベクターはアデノ随伴ウイルスベクター（AAV）である、請求項３に記載の組成物。
【請求項５】
前記ウイルスベクターはヒトマイクロＲＮＡ（ｍｉＲ）−３０ａ配列を含む、請求項３に記載の組成物。
【請求項６】
前記ウイルスベクターは、５´末端の完全ＡＡＶ２末端逆位反復配列（ITR）及び３´末端の欠失ＡＡＶ２ＩＴＲに隣接するｓｈＲＮＡミニ遺伝子を含む、請求項３に記載の組成物。
【請求項７】
前記ウイルスベクターはトリ心筋トロポニンＴプロモーターを含む、請求項３に記載の組成物。
【請求項８】
前記ウイルスベクターはＳＶ４０ポリアデニル化部位を含む、請求項３に記載の組成物。
【請求項９】
前記ＡＡＶはＡＡＶ血清型９である、請求項４に記載の組成物。
【請求項１０】
ヒトｍＡＫＡＰβの発現を阻害する方法であって、ｍＡＫＡＰβをコードするｍＲＮＡを請求項１に記載の組成物に接触させることを含む方法。
【請求項１１】
心臓を損傷から保護する方法であって、薬学的有効量の請求項１に記載の組成物を、そうした損傷のリスクを有する患者に投与することを含む方法。
【請求項１２】
心臓疾患を処置又は予防する方法であって、薬学的有効量の請求項１に記載の組成物を、処置又は予防を必要とする患者に投与することを含む方法。
【請求項１３】
心筋梗塞を処置又は予防する方法であって、薬学的有効量の請求項１に記載の組成物を、そうした損傷のリスクを有する患者に投与することを含む方法。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
切削インサート（１４）と、前記切削インサート（１４）を固定するように構成されて、前記切削インサート（１４）が据えられるポケット（１６）を備える切削工具本体（１２）と、を備え、
前記切削工具本体（１２）は、雌ねじ（７８）をさらに有しており、かつ、
機械加工端（１８）及び前記機械加工端（１８）から延在する工具周面（２６）と、
前記工具周面（２６）に向けて開口する、貫通した無ねじの工具連結孔（４２）と、
連結ねじねじ山（６０）を有し、かつ、前記工具連結孔（４２）内に配置された連結ねじ（５２）であって、前記ポケット（１６）に前記切削インサート（１４）を固定するように構成された連結ねじ（５２）と、を備え、
前記工具周面（２６）が前記ポケット（１６）を備え、
前記ポケット（１６）が、外側を向くポケット基底面（３６）と、前記ポケット基底面（３６）から延在する第１及び第２支持壁（３８、４０）と、を備え、
前記切削インサート（１４）が、対向するインサート基底面（１０２）と、前記インサート基底面（１０２）の間に延在するインサート周面（１０４）と、を備え、
前記切削工具本体（１２）は保持部材（８０）をさらに備え、少なくとも前記連結ねじ（５２）が前記切削インサート（１４）と接触していないとき、前記保持部材（８０）は前記連結ねじねじ山（６０）と係合し、
前記保持部材（８０）が、前記連結ねじ（５２）が前記工具連結孔（４２）から落下することを防止し、かつ、前記連結ねじ（５２）が回転の間に駆動工具（４４）から離れるように移動することを防止するように構成されている、切削工具（１０）。
【請求項２】
前記保持部材（８０）が、前記連結ねじ（５２）に、前記連結ねじ（５２）又は前記保持部材（８０）のいずれかにおいて塑性変形を引き起こすことができる最大保持力（ＭＨＦ）以下である反力（ＲＦ）を連結ねじ回転軸（Ｒ）の方向に加え、好ましくは、ＲＦ＝ＭＨＦであるとき、前記保持部材（８０）が、前記連結ねじねじ山（６０）のねじ山凹部（６２）間を移動又は跳躍し、前記連結ねじ（５２）の回転がない軸方向の移動を許容するように構成されている、請求項１に記載の切削工具（１０）。
【請求項３】
前記連結ねじ（５２）が、前記切削工具（１０）の２つの対向する側から前記駆動工具（４４）により前記連結ねじ（５２）を回転させることを可能にする第１及び第２駆動部材（６８、７０）を備える、請求項１又は２に記載の切削工具（１０）。
【請求項４】
前記保持部材（８０）が前記工具連結孔（４２）に突出する、請求項１〜３のいずれか一項に記載の切削工具（１０）。
【請求項５】
前記保持部材（８０）が、弾性的ではなく、弾性部材（９４）により前記切削工具に復元力を有して固定されている、請求項１〜４のいずれか一項に記載の切削工具（１０）。
【請求項６】
前記保持部材（８０）が弾性的である、請求項１〜５のいずれか一項に記載の切削工具（１０）。
【請求項７】
前記保持部材（８０、３８０、５８０）がＵ字型又は直線状である、請求項１〜６のいずれか一項に記載の切削工具（１０）。
【請求項８】
前記保持部材（８０、２８０、３８０、４８０、５８０）の少なくとも一部分が三角形、又は円形の断面を有する、請求項１〜７のいずれか一項に記載の切削工具（１０）。
【請求項９】
前記保持部材（８０、２８０、３８０、５８０）が、交換可能であり、前記工具連結孔（４２、２４２、３４２、５４２）と交わる貫通保持孔（８８、２８８、３８８、５８８）内に解放可能に配置されている、請求項１〜８のいずれか一項に記載の切削工具（１０）。
【請求項１０】
前記保持部材（５８０）が、交換可能であり、前記工具連結孔（５４２）内の保持凹部（９０）内に解放可能に配置されている、請求項１〜９のいずれか一項に記載の切削工具（１０）。
【請求項１１】
前記切削工具本体（１２）が、前記工具周面（２６）に対してのみ開口する非貫通係止孔（１００）に螺合される係止ねじ（７４）を備える、請求項１〜１０のいずれか一項に記載の切削工具（１０）。
【請求項１２】
前記連結ねじ（５２）が、前記工具周面（２６）から外側に向かって突出しない、請求項１〜１１のいずれか一項に記載の切削工具（１０）。
【請求項１３】
前記切削工具本体（１２）が、２つの連結ねじ（５２）及び２つの工具連結孔（４２）を備える、請求項１〜１２のいずれか一項に記載の切削工具（１０）。
【請求項１４】
前記切削工具本体（２１２）が、２つの連結ねじ（２５２）、及び少なくとも非固定位置において両方の連結ねじ（２５２）と係合する１つの保持部材（２８０）を備える、請求項１〜１３のいずれか一項に記載の切削工具（１０）。
【請求項１５】
固定位置において、前記インサート基底面（１０２）のうちの１つが前記ポケット基底面（３６）に当接し、前記インサート周面（１０４）が前記第１及び第２支持壁（３８、４０）に当接し、前記連結ねじ（５２）が前記雌ねじ（７８）に螺合され連結孔面取り部（５０）に対して締結されている、請求項１４に記載の切削工具（１０）。
【請求項１６】
前記工具連結孔（４２）が、前記工具連結孔（４２）の中間領域内で半径方向に内側へ延在して前記連結ねじ（５２）の連結ねじヘッド（５８）のための接触場所を画定する連結孔面取り部（５０）を有する、請求項１〜１４のいずれか一項に記載の切削工具（１０）。
【請求項１７】
前記工具連結孔（４２）が、非固定位置において前記連結ねじ（５２）の全体が前記工具連結孔（４２）内に保持されるような寸法を有する、請求項１〜１５のいずれか一項に記載の切削工具（１０）。
【請求項１８】
前記工具連結孔（４２）が、前記連結ねじ（５２）が非固定位置にあるときに前記連結ねじ（５２）が前記工具連結孔（４２）内に完全に保持されるような寸法を有する、請求項１〜１６のいずれか一項に記載の切削工具（１０）。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
手工具（１）であって、
互いに対して枢動可能に配置された第１ハンドル（２）及び第２ハンドル（３）と、
前記第１ハンドル（２）に固定され、第１圧着部（６）を備えるた第１ジョー（４）と、
第２圧着部（７）を備える第２ジョー（５）と、を備え、
前記第１及び第２圧着部（６、７）は、前記第１及び第２ハンドル（２、３）の作動により互いに向かって移動し、前記第１と第２圧着部（６、７）の間に形成される圧着開口部（８）を閉じるように配置され、前記第２ジョー（５）は、第１枢動点（１０）の周りで前記第１ハンドル（２）に対して、及び前記第２ハンドル（３）の上端に配置された第２枢動点（１１）の周りの前記第２ハンドル（３）に対して枢動可能に配置され、前記第２枢動点（１１）は前記第１枢動点（１０）から分離されている、手工具（１）において、
前記第１ハンドル（２）は、前記第１圧着部（６）と前記第１枢動点（１０）の間に第１弾性部（１２）を備え、前記第１圧着部（６）が前記第１枢動点（１０）に関して撓むことを許容し、第１ハンドル（２）は、第１フォークアーム（１４）及び第２フォークアーム（１５）を備えるフォークアーム装置を有し、前記第１枢動点（１０）より下の点から上向きに互いに分離され、前記第１フォークアーム（１４）は前記第１圧着部（６）を備え、前記第２フォークアーム（１５）は前記第１枢動点（１０）を囲み、リンクアーム（９）は前記第１ハンドル（２）と前記第２ハンドル（３）の間に配置される、ことを特徴とする手工具（１）。
【請求項２】
前記第２ジョー（５）は曲がった形状を有し、前記第２圧着部（７）は、前記第１枢動点（１０）と前記第２枢動点（１１）との間の想像線に対して前記第２枢動点（１１）から実質的に直交して延びる、請求項１に記載の手工具（１）。
【請求項３】
前記リンクアーム（９）の第１端は、前記第１ハンドル（２）の下部の第１リンク点（１６）に枢動可能に配置され、前記リンクアーム（９）の第２端は、前記第２ハンドル（３）の上部において第２リンク点（１７）に枢動可能に配置される、請求項１又は２に記載の手工具（１）。
【請求項４】
前記リンクアーム（９）は弾性である、請求項１〜３の何れか一項に記載の手工具（１）。
【請求項５】
第２弾性部（１３）は、前記第１ハンドル（２）上において第１弾性部（１２）と前記第１リンク点（１６）との間に前記第１ハンドル（２）に沿って配置される、請求項３に記載の手工具（１）。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
管状加工物をストリップに切断するための装置であって、
その周りに管状加工物を受け取るように構成された外側表面を有する送り込みマンドレルと、
フレームと、
前記送り込みマンドレルと前記フレームとの間で前記フレーム上に支持された、複数の放射状に配置された切断部材と、
を備えることを特徴とする装置。
【請求項２】
前記複数の切断部材はワイヤである、
請求項１に記載の装置。
【請求項３】
電源をさらに備え、前記ワイヤは前記電源によって加熱される、
請求項２に記載の装置。
【請求項４】
前記ワイヤは、前記電源によって加熱されると、前記管状加工物に直接接触することなく前記管状加工物をストリップに細断する、
請求項３に記載の装置。
【請求項５】
前記複数の切断部材は、前記フレーム上に張力下で支持される、
請求項１に記載の装置。
【請求項６】
前記送り込みマンドレルは、前記管状加工物内に位置して前記管状加工物の直径を拡張させるように構成される、
請求項１に記載の装置。
【請求項７】
前記送り込みマンドレルは、第１の直径を有する上流部分と、前記送り込みマンドレルの前記上流部分の前記直径よりも大きな直径を有する下流部分とを含み、
前記送り込みマンドレルの前記上流部分の前記直径は、前記管状加工物の非拡張直径よりも小さく、前記送り込みマンドレルの前記下流部分の前記直径は、前記管状加工物の前記非拡張直径よりも大きい、
請求項６に記載の装置。
【請求項８】
前記フレームは、それぞれが前記切断部材の第１の端部を固定するように構成された複数の開口部を前記フレームの中心部分に含み、それぞれが前記切断部材の第２の端部を固定するように構成された複数の穴を前記フレームの周辺部分に含み、
前記複数の切断部材の各切断部材は、前記フレームの前記中心部分から前記フレームの前記周辺部分に延びる、
請求項１に記載の装置。
【請求項９】
前記複数の切断部材のうちの１つの切断部材の前記第２の端部の位置は、前記複数の穴のうちの第１の穴から前記複数の穴のうちの第２の穴に移動することができる、
請求項８に記載の装置。
【請求項１０】
前記フレームに固定された導電性リングをさらに備え、前記複数の切断部材の中間部分が前記導電性リングに接触する、
請求項８に記載の装置。
【請求項１１】
管状加工物をストリップに切断するためのシステムであって、
管状加工物在庫材料の供給源と、
請求項１に記載の装置を含む細断ステーションと、
駆動機構と、
収集ステーションと、
を備えることを特徴とするシステム。
【請求項１２】
前記駆動機構は、前記細断ステーションを通じて切断された材料ストリップを引っ張るためのニップローラを含む、
請求項１１に記載のシステム。
【請求項１３】
前記収集ステーションは、前記ストリップを巻き付けて保管できるスプールを含む、
請求項１１に記載のシステム。
【請求項１４】
前記ストリップを前記収集ステーションに到達する前に所望の長さに切断するための切断ステーションをさらに備える、
請求項１１に記載のシステム。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
ａ）少なくとも片面上に、少なくとも１つのハロクロミックロイコ染料を含むサーモクロミックコーティング層を含む基材を提供するステップと、
ｂ）少なくとも１つの酸を含む液体処理組成物を提供するステップと、
ｃ）予め選択されたパターンの形態で、前記サーモクロミックコーティング層の少なくとも１つの領域に前記液体処理組成物を適用するステップと、
を含む、感熱印刷用の改ざん防止媒体を製造する方法。
【請求項２】
前記基材が、紙、厚紙、ボール紙、プラスチック、セロハン、織物、木材、金属、ガラス、マイカプレート又はニトロセルロースを含む群から選択される、請求項１に記載の方法。
【請求項３】
前記少なくとも１つのハロクロミックロイコ染料が、無色である、請求項１又は２に記載の方法。
【請求項４】
前記少なくとも１つのハロクロミックロイコ染料が、アリールメタンフタリド染料、キノン染料、トリアリールメタン染料、トリフェニルメタン染料、フルオラン染料、フェノチアジン染料、ローダミンラクタム染料、スピロピラン染料及びそれらの混合物からなる群から選択される、請求項１〜３のいずれか一項に記載の方法。
【請求項５】
前記サーモクロミックコーティング層が、前記サーモクロミックコーティング層の総重量に基づいて、１〜６０重量％の量で前記少なくとも１つのハロクロミックロイコ染料を含む、請求項１〜４のいずれか一項に記載の方法。
【請求項６】
前記サーモクロミックコーティング層が、前記サーモクロミックコーティング層の総重量に基づいて、１〜８０重量％の量で発色現像主薬をさらに含む、請求項１〜７のいずれか一項に記載の方法。
【請求項７】
前記少なくとも１つの酸が、塩酸、硫酸、亜硫酸、リン酸、クエン酸、シュウ酸、酢酸、ギ酸、スルファミン酸、酒石酸、フィチン酸、ホウ酸、コハク酸、スベリン酸、安息香酸、アジピン酸、ピメリン酸、アゼライン酸、セバシン酸、イソクエン酸、アコニット酸、プロパン−１，２，３−トリカルボン酸、トリメシン酸、グリコール酸、乳酸、マンデル酸、酸性有機硫黄化合物、酸性有機リン化合物、Ｌｉ＋、Ｎａ＋、Ｋ＋、Ｍｇ２＋又はＣａ２＋から選択される対応するカチオンにより少なくとも部分的に中和される、ＨＳＯ４−、Ｈ２ＰＯ４−又はＨＰＯ４２−、及びそれらの混合物からなる群から選択される、請求項１〜６のいずれか一項に記載の方法。
【請求項８】
前記液体処理組成物が、染料、顔料、蛍光染料、リン光染料、紫外線吸収染料、近赤外線吸収染料、サーモクロミック染料、ハロクロミック染料、金属イオン、遷移金属イオン、ランタニド、アクチニド、磁性粒子、量子ドット又はそれらの混合物をさらに含む、請求項１〜７のいずれか一項に記載の方法。
【請求項９】
前記液体処理組成物が、前記液体処理組成物の総重量に基づいて、０．１〜１００重量％の量で前記少なくとも１つの酸を含む、請求項１〜８のいずれか一項に記載の方法。
【請求項１０】
前記予め選択されたパターンが、連続層、パターン、繰り返し要素のパターン及び／又は要素の繰り返しの組み合わせである、請求項１〜９のいずれか一項に記載の方法。
【請求項１１】
前記予め選択されたパターンが、ギョーシェ、一次元バーコード、二次元バーコード、三次元バーコード、ＱＲコード、ドットマトリックスコード、セキュリティマーク、数字、文字、英数字記号、ロゴ、画像、形状、署名、デザイン又はそれらの組み合わせである、請求項１０に記載の方法。
【請求項１２】
前記液体処理組成物が、スプレーコーティング、インクジェット印刷、オフセット印刷、フレキソ印刷、スクリーン印刷、プロット、接触スタンピング、輪転グラビア印刷、スピンコーティング、スロットコーティング、カーテンコーティング、スライドベッドコーティング、フィルムプレス、計量フィルムプレス、ブレードコーティング、ブラシコーティング、スタンピング及び／又はペンシルにより適用される、請求項１〜１１のいずれか一項に記載の方法。
【請求項１３】
請求項１〜１２のいずれか一項に記載の方法により得られる感熱印刷用の改ざん防止媒体。
【請求項１４】
前記改ざん防止媒体が、ブランド製品、セキュリティ文書、非セキュア文書又は装飾製品である、請求項１３に記載の改ざん防止媒体。
【請求項１５】
前記改ざん防止媒体が、包装、容器、コンパクトディスク（ＣＤ）、デジタルビデオディスク（ＤＶＤ）、ブルーレイディスク、ステッカー、ラベル、シール、タグ、ポスター、パスポート、運転免許証、銀行カード、クレジットカード、債券、チケット、郵便切手、税印紙、紙幣、証明書、ブランド認証タグ、名刺、グリーティングカード、バウチャー、タックスバンデロール（ｔａｘ  ｂａｎｄｅｒｏｌ）、ＰＯＳ領収書、プロット、ファックス、連続記録シート若しくはリール、又は壁紙である、請求項１４に記載の改ざん防止媒体。
【請求項１６】
セキュリティ用途、公然のセキュリティ要素、秘密のセキュリティ要素、ブランド保護、逸脱防止、マイクロレタリング、マイクロイメージング、装飾用途、芸術用途、視覚用途、包装用途、印刷用途、監視用途、又は追跡及び足跡用途における請求項１３〜１５のいずれか一項に記載の感熱印刷用の改ざん防止媒体の使用。